(57)【要約】【課題】折り曲げ可能なタッチパネル表示手段を搭載した情報処理装置において、ユーザの使い勝手がよい入力環境を提供することが可能な情報処理装置、その表示方法、及びコンピュータが実行可能なプログラムを提供すること。【解決手段】情報処理装置は、ユーザからの入力操作を受け付けるための入力部を表示する、折り曲げ可能なタッチパネル表示手段と、前記タッチパネル表示手段の折り曲げを検出するための検出手段と、前記検出手段の検出結果に基づいて、前記タッチパネル表示手段の表示領域に表示する入力部の表示を制御する制御手段と、を備えている。【選択図】  図１
2017130158.tif 000002
【特許請求の範囲】
【請求項１】
ユーザからの入力操作を受け付けるための入力部を表示する、折り曲げ可能なタッチパネル表示手段と、
前記タッチパネル表示手段の折り曲げを検出するための検出手段と、
前記検出手段の検出結果に基づいて、前記タッチパネル表示手段の表示領域に表示する前記入力部の表示を制御する制御手段と、
を備えたことを特徴とする情報処理装置。
【請求項２】
前記制御手段は、前記タッチパネル表示手段が折り曲げられた場合には、前記タッチパネル表示手段の表示領域のうち、下側となる表示領域に前記入力部を表示するように制御することを特徴とする請求項１に記載の情報処理装置。
【請求項３】
前記制御手段は、前記タッチパネル表示手段が折り曲げられた場合には、前記タッチパネル表示手段の表示領域のうち、上側となる表示領域に表示情報を表示するように制御することを特徴とする請求項２に記載の情報処理装置。
【請求項４】
前記制御手段は、前記タッチパネル表示手段が折り曲げられた場合には、前記タッチパネル表示手段の表示領域のうち、上側となる表示領域に入力結果の表示欄を表示するように制御することを特徴とする請求項２に記載の情報処理装置。
【請求項５】
前記制御手段は、前記前記タッチパネル表示手段が折り曲げられていない場合には、前記タッチパネル表示手段の表示領域に表示情報の全画面表示を行うように制御することを特徴とする請求項１〜請求項４のいずれか１つに記載の情報処理装置。
【請求項６】
前記制御手段は、前記タッチパネル表示手段が折り曲げられて閉じた状態から開いた状態となった場合には、前記タッチパネル表示手段の表示領域のうち、下側となる表示領域に前記入力部を表示し、上側となる表示領域にユーザ認証画面を表示するように制御することを特徴とする請求項１に記載の情報処理装置。
【請求項７】
前記タッチパネル表示手段は、１又は複数箇所で折り曲げ可能に形成されたフレキシブルなタッチパネル表示部であることを特徴とする請求項１〜請求項６のいずれか１つに記載の情報処理装置。
【請求項８】
タッチパネル表示手段は、回転可能に連結された第１の筐体及び第２の筐体にそれぞれ搭載される第１のタッチパネル表示部及び第２のタッチパネル表示部であることを特徴とする請求項１〜請求項６のいずれか１つに記載の情報処理装置。
【請求項９】
ユーザからの入力操作を受け付けるための入力部を表示する、折り曲げ可能なタッチパネル表示手段と、
前記タッチパネル表示手段の折り曲げ部分を境にしてより下側に位置する表示領域を検出するための検出手段と、
前記検出手段の検出結果に基づいて、前記下側に位置する表示領域に前記入力部の表示を行う制御手段と、
を備えたことを特徴とする情報処理装置。
【請求項１０】
前記制御手段は、前記タッチパネル表示手段の折り曲げ位置に応じて、前記入力部の表示を変更することを特徴とする請求項９に記載の情報処理装置。
【請求項１１】
折り曲げ可能なタッチパネル表示手段を備えた情報処理装置の表示方法であって、
前記タッチパネル表示手段の折り曲げを検出するための検出工程と、
前記検出工程の検出結果に基づいて、ユーザからの入力操作を受け付けるための入力部の表示を制御する制御工程と、
を含むことを特徴とする情報処理装置の表示方法。
【請求項１２】
折り曲げ可能なタッチパネル表示手段を備えた情報処理装置に搭載されるプログラムであって、
前記タッチパネル表示手段の折り曲げを検出するための検出工程と、
前記検出工程の検出結果に基づいて、ユーザからの入力操作を受け付けるための入力部の表示を制御する制御工程と、
をコンピュータに実行させることを特徴とするコンピュータが実行可能なプログラム。
【発明の詳細な説明】
【技術分野】
【０００１】
本発明は、情報処理装置、その表示方法、及びコンピュータが実行可能なプログラムに関する。  
【背景技術】
【０００２】
例えば、２つの筐体にディスプレイをそれぞれ搭載し、ヒンジで両筐体を回転可能に接続した２画面タイプの情報処理装置が既に実用化されている。さらに、近時、フレキシブルディスプレイ（Ｆｌｅｘｉｂｌｅ  Ｄｉｓｐｌａｙ）を搭載した折り畳み可能な情報処理装置（Ｆｏｌｄａｂｌｅ  Ｄｅｖｉｃｅ）が提案されている。かかるフレキシブルディスプレイは、ディスプレイ自体を折り曲げることが可能となっている。
【０００３】
他方、フレキシブルディスプレイを搭載した折り畳み可能な情報処理装置や２画面タイプの情報処理装置は、物理的な入力部（例えば、キーボード等）を備えていないため、ディスプレイに表示されるソフトウェアキーボード等を使用して、ユーザはキー入力を行っている。そのため、ユーザにとって使い勝手のよい入力環境が望まれている。
【先行技術文献】
【特許文献】
【０００４】
【特許文献１】特開２０１１−０３４４９４号公報
【発明の概要】
【発明が解決しようとする課題】
【０００５】
本発明は、上記に鑑みてなされたものであり、折り曲げ可能なタッチパネル表示手段を搭載した情報処理装置において、ユーザの使い勝手がよい入力環境を提供することが可能な情報処理装置、その表示方法、及びコンピュータが実行可能なプログラムを提供することを目的とする。
【課題を解決するための手段】
【０００６】
上述した課題を解決し、目的を達成するために、本発明は、ユーザからの入力操作を受け付けるための入力部を表示する、折り曲げ可能なタッチパネル表示手段と、前記タッチパネル表示手段の折り曲げを検出するための検出手段と、前記検出手段の検出結果に基づいて、前記タッチパネル表示手段の表示領域に表示する前記入力部の表示を制御する制御手段と、を備えたことを特徴とする。
【０００７】
また、本発明の好ましい態様によれば、前記制御手段は、前記タッチパネル表示手段が折り曲げられた場合には、前記タッチパネル表示手段の表示領域のうち、下側となる表示領域に前記入力部を表示するように制御することが望ましい。
【０００８】
また、本発明の好ましい態様によれば、前記制御手段は、前記タッチパネル表示手段が折り曲げられた場合には、前記タッチパネル表示手段の表示領域のうち、上側となる表示領域に表示情報を表示するように制御することが望ましい。
【０００９】
また、本発明の好ましい態様によれば、前記制御手段は、前記タッチパネル表示手段が折り曲げられた場合には、前記タッチパネル表示手段の表示領域のうち、上側となる表示領域に入力結果の表示欄を表示するように制御することが望ましい。
【００１０】
また、本発明の好ましい態様によれば、前記制御手段は、前記前記タッチパネル表示手段が折り曲げられていない場合には、前記タッチパネル表示手段の表示領域に表示情報の全画面表示を行うように制御することが望ましい。
【００１１】
また、本発明の好ましい態様によれば、前記制御手段は、前記タッチパネル表示手段が折り曲げられて閉じた状態から開いた状態となった場合には、前記タッチパネル表示手段の表示領域のうち、下側となる表示領域に前記入力部を表示し、上側となる表示領域にユーザ認証画面を表示するように制御することが望ましい。
【００１２】
また、本発明の好ましい態様によれば、前記タッチパネル表示手段は、１又は複数箇所で折り曲げ可能に形成されたフレキシブルなタッチパネル表示部であることが望ましい。
【００１３】
また、本発明の好ましい態様によれば、前記タッチパネル表示手段は、回転可能に連結された第１の筐体及び第２の筐体にそれぞれ搭載される第１のタッチパネル表示部及び第２のタッチパネル表示部であることが望ましい。
【００１４】
また、上述した課題を解決し、目的を達成するために、本発明は、ユーザからの入力操作を受け付けるための入力部を表示する、折り曲げ可能なタッチパネル表示手段と、前記タッチパネル表示手段の折り曲げ部分を境にしてより下側に位置する表示領域を検出するための検出手段と、前記検出手段の検出結果に基づいて、前記下側に位置する表示領域に前記入力部の表示を行う制御手段と、を備えたことを特徴とする。
【００１５】
また、本発明の好ましい態様によれば、前記制御手段は、前記タッチパネル表示手段の折り曲げ位置に応じて、前記入力部の表示を変更することが望ましい。
【００１６】
また、上述した課題を解決し、目的を達成するために、本発明は、折り曲げ可能なタッチパネル表示手段を備えた情報処理装置の表示方法であって、前記タッチパネル表示手段の折り曲げを検出するための検出工程と、前記検出工程の検出結果に基づいて、ユーザからの入力操作を受け付けるための入力部の表示を制御する制御工程と、を含むことを特徴とする。
【００１７】
また、上述した課題を解決し、目的を達成するために、本発明は、折り曲げ可能なタッチパネル表示手段を備えた情報処理装置に搭載されるプログラムであって、前記タッチパネル表示手段の折り曲げを検出するための検出工程と、前記検出工程の検出結果に基づいて、ユーザからの入力操作を受け付けるための入力部の表示を制御する制御工程と、をコンピュータに実行させることを特徴とする。  
【発明の効果】
【００１８】
本発明によれば、折り曲げ可能なタッチパネル表示手段を搭載した情報処理装置において、ユーザの使い勝手がよい入力環境を提供することが可能な情報処理装置を提供することが可能になるという効果を奏する。
【図面の簡単な説明】
【００１９】
【図１】図１は、実施の形態に係る情報処理装置の概念図を示す図である。
【図２−Ａ】図２−Ａは、実施例に係る情報処理装置がフラットな状態にある場合を示す模式的な斜視図である。
【図２−Ｂ】図２−Ｂは、実施例に係る情報処理装置が開いた状態にある場合を示す模式的な斜視図である。
【図２−Ｃ】図２−Ｃは、実施例に係る情報処理装置が閉じた状態にある場合を示す図である。
【図３】図３は、実施例に係る情報処理装置の概略のハードウェア構成例を示す図である。
【図４】図４は、タッチパネル表示部の画面遷移の一例を説明するための図である。
【図５−Ａ】図５−Ａは、変形例１に係る情報処理装置を説明するための図である。
【図５−Ｂ】図５−Ｂは、変形例１に係る情報処理装置を説明するための図である。
【図６】図６は、変形例２に係る情報処理装置を説明するための図である。
【図７】図７は、変形例２に係る情報処理装置を説明するための図である。
【発明を実施するための形態】
【００２０】
以下、本実施の形態に係る情報処理装置、その表示方法、及びコンピュータが実行可能なプログラムを適用したコンピュータシステムの実施の形態について説明する。本発明の構成要素は、本明細書の図面に一般に示してあるが、様々な構成で広く多様に配置し設計してもよいことは容易に理解できる。従って、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、材料でも本発明を実現できることが理解できる。
【００２１】
図１は、実施の形態に係る情報処理装置の概念図を示す図である。図１（Ａ）は、情報処理装置のタッチパネル表示手段が折り曲げられていない状態、図１（Ｂ）は、情報処理装置のタッチパネル表示手段が折り曲げられた状態を模式的に示している。本実施の形態に係る情報処理装置は、例えば、スマートフォン、タブレット、ＰＣ、ゲーム端末、及びＰＤＡ等の情報処理装置である。
【００２２】
図１において、情報処理装置１は、折り曲げ可能に形成されたタッチパネル表示手段１０と、タッチパネル表示手段１０の折り曲げを検出するための検出手段２０と、検出手段２０の検出結果に基づいて、タッチパネル表示手段１０の表示領域１１に表示する入力部１２の表示を制御する制御手段３０と、を備えている。
【００２３】
タッチパネル表示手段１０は、表示部と表示部に重畳されたタッチパネルで構成してもよい。例えば、表示部は、ＬＣＤや有機ＥＬ表示デバイスを使用することにしてもよい。タッチパネルは、静電容量式又は感圧式のタッチパネルを使用してもよい。
【００２４】
検出手段２０は、例えば、複数の加速度センサで構成することができる。入力部１２は、ユーザからの入力操作を受け付けるためにタッチパネル表示手段１０の表示領域１１に表示される操作部分であり、例えば、表示領域１１に表示されるキーボード（所謂ソフトウェアキーボード）である。入力部１２を、ソフトウェアキーボードの代わりに、あるいはソフトウェアキーボードとともにポインティングデバイス、各種のコマンドを実行するためのボタンやレバーとしてもよい。
【００２５】
制御手段３０は、タッチパネル表示手段１０のタッチパネル及び表示部の動作を制御する。制御手段３０は、タッチパネル表示手段１０が折り曲げられていない場合には、タッチパネル表示手段１０の表示領域１１に表示情報の全画面表示を行うことにしてもよい。図１（Ａ）に示す例では、表示領域１１の全体に表示情報としてアイコンが表示されている。
【００２６】
また、制御手段３０は、タッチパネル表示手段１０が折り曲げられた場合には、表示領域のうち、下側、あるいはユーザにより近接した側となる第１の表示領域１１Ａに入力部１２を表示し、上側、あるいはユーザからより遠い側となる第２の表示領域１１Ｂに表示情報を表示するように制御してもよい。図１（Ｂ）に示す例では、第１の表示領域１１Ｂに入力部１２としてソフトウェアキーボードが表示され、第２の表示領域１１Ｂに表示情報としてアイコンが表示されている。
【００２７】
また、制御手段３０は、タッチパネル表示手段１０が折り曲げられて閉じている状態から開いた状態となった場合には、タッチパネル表示手段１０の表示領域のうち、下側、あるいはユーザにより近接した側となる第１の表示領域１１Ａに入力部１２を表示し、上側、あるいはユーザからより遠い側となる第２の表示領域１１Ｂにユーザ認証画面（例えば、パスワード入力画面）等の入力された情報を表示する入力結果の表示欄を表示するように制御してもよい（図４参照）。図４に示す例では、第１の表示領域１１Ｂに入力部１２としてソフトウェアキーボードが表示され、第２の表示領域１１Ｂに入力結果の表示欄として入力フィールド５６が表示されている。
【００２８】
上記構成において、検出手段２０及び制御手段１３は、例えば、ハードウェアやソフトウェア（ＯＳ、ＡＰＩ、サービス、ユーティリティ、ライブラリ、ドライバ、及びアプリケーション等のプログラム）のモジュール、又は、その組み合わせで構成することができる。また、コンピュータがプログラムを実行することにより、検出手段２０及び制御手段３０の機能を実現することにしてもよい。
【００２９】
タッチパネル表示手段１０は、１又は複数箇所で折り曲げ可能に形成されたフレキシブルなタッチパネル表示部で構成してもよい（図２−Ａ及び図５−Ａ参照）。
【００３０】
また、タッチパネル表示手段１０は、回転可能に連結された第１の筐体及び第２の筐体にそれぞれ収納される第１のタッチパネル表示部及び第２のタッチパネル表示部で構成してもよい（図６参照）。
【００３１】
以上説明したように、本実施の形態によれば、折り曲げ可能なタッチパネル表示手段１０と、タッチパネル表示手段１０の折り曲げを検出するための検出手段２０と、検出手段２０の検出結果に基づいて、タッチパネル表示手段１０の表示領域１１に表示する入力部１２の表示を制御する制御手段３０と、を備えているので、折り曲げ可能なタッチパネル表示手段を搭載した情報処理装置において、ユーザの使い勝手がよい入力環境を提供することが可能となる。
【００３２】
また、本実施の形態によれば、制御手段３０は、タッチパネル表示手段１０が折り曲げられた場合には、タッチパネル表示手段１０の表示領域１１のうち、下側となる第１の表示領域１１Ａに入力部１２を表示し、上側となる第２の表示領域１１Ｂに表示情報を表示するように制御することとしたので、例えば、折り畳み式の携帯電話端末（ガラケー）やラップトップＰＣと同じような、下側にキーを備え、上側に表示部を備えた入力環境でユーザは入力を行うことが可能となる。
【００３３】
また、本実施の形態によれば、制御手段３０は、タッチパネル表示手段１０が折り曲げられていない場合には、タッチパネル表示手段１０の表示領域１１に表示情報の全画面表示を行うこととしたので、通常の使用状態では、ユーザは、スマートフォンやタブレットと同じように使用することが可能となる。
【００３４】
また、本実施の形態によれば、制御手段３０は、タッチパネル表示手段１０が折り曲げられて閉じた状態から開いた状態となった場合には、タッチパネル表示手段１０の表示領域１１のうち、下側となる表示領域１１Ａに入力部１２を表示し、上側となる表示領域にユーザ認証画面を表示するように制御することとしたので、ユーザがユーザ認証の入力を容易に行うことが可能となる。
【００３５】
（実施例）
上記実施の形態に係る情報処理装置をフレキシブルなタッチ表示デバイスを備えた折り曲げ可能な情報処理装置に適用した場合を一例として説明する。図２−Ａ〜図２−Ｃは、実施例に係る情報処理装置の外観構成の一例を示す模式的な斜視図であり、図２−Ａは、情報処理装置がフラットな状態（折り曲げられていない状態）にある場合を示す図、図２−Ｂは、情報処理装置が折り曲げ状態（又は「開いた状態」ともいう）にある場合を示す図、図２−Ｃは、情報処理装置が閉じ状態にある場合を示す図である。
【００３６】
図２−Ａ〜図２−Ｃに示すように、本実施例に係る情報処理装置４０は、筐体５０を備えている。筐体５０は、略中央位置に筐体５０を略３６０度折り曲げ可能（回転可能）に構成するための折り曲げ可能部５４を備えている。折り曲げ可能部５４は、公知の構造を使用することができ、例えば、１又は複数軸のヒンジ機構、弾性材料等を使用することができる。
【００３７】
筐体５０には、表示部と表示部上に配置されたタッチパネルとで構成されるタッチパネル表示部４１が配置されている。タッチパネル表示部４１は、折り曲げ可能なフレキシブルな材料で構成されている。
【００３８】
また、筐体５０の内部には、折り曲げ可能部５４を挟んで第１の加速度センサ５１Ａと第２の加速度センサ５１Ｂが配置されている。第１の加速度センサ５１Ａ及び第２の加速度センサ５１Ｂは、デカルト座標系において、タッチパネル表示部４１の画面（筐体５０）に平行で、かつ、互いに直交する方向をそれぞれＸ、Ｙ軸方向とし、Ｘ軸方向及びＹ軸方向に直交する鉛直上向き方向をＺ軸方向とした場合に、Ｘ、Ｙ、Ｚ軸方向の加速度ｘ、ｙ、zを検出する。
【００３９】
タッチパネル表示部４１は、フレキシブルな材料で形成されているため、筐体５０が折り曲げられると、タッチパネル表示部４１も折り曲げられる。タッチパネル表示部４１が折り曲げられた場合には、タッチパネル表示部４１の表示領域４２のうち、下側、あるいはユーザにより近接した側となる領域を第１の表示領域４２Ａ、上側、あるいはユーザからより遠い側となる領域を第２の表示領域４２Ｂとする。第１の表示領域４２Ａ及び第２の表示領域４２ＢのＸ、Ｙ、Ｚ軸方向の加速度ｘ、ｙ、ｚは、第１又は第２の加速度センサ５１Ａ，５１Ｂで検出することができる。情報処理装置４０が静止している姿勢では、第１及び第２の加速度センサ５１Ａ，５１Ｂの加速度ｘ＝−１〜１（ｇ）、加速度ｙ＝−１〜１（ｇ）、加速度ｚ＝−１〜１（ｇ）となる。
【００４０】
回転軸δに対するタッチパネル表示部４１（筐体５０）の折り曲げ角度（第１の表示領域４２Ａと第２の表示領域４２Ｂとの角度）を「θ」と規定する。情報処理装置４０は、折り曲げ可能部５４により、各種状態を取ることが可能となっている。図２−Ａに示すように、タッチパネル表示部４１が折り曲げられてないθ＝０の状態をフラット状態、図２−Ｂに示すように、０＜θ＜１８０度の範囲で折り曲げられた状態を折り曲げ状態（開いた状態）、図２−Ｃに示すように、θ＝１８０度まで折り曲げられた状態を閉じ状態と称する。情報処理装置４０の底面が接地面に置かれている状態では、例えば、図２−Ａに示すフラット状態（θ＝０）の場合は、第１及び第２の加速度センサ５１Ａ，５１Ｂの加速度ｘ＝０（ｇ）、加速度ｙ＝０（ｇ）、加速度ｚ＝−１（ｇ）となる。また、図２−Ｃに示す閉じ状態（θ＝１８０）の場合には、第１の加速度センサ５１Ａの加速度ｘ＝０（ｇ）、加速度ｙ＝０（ｇ）、加速度ｚ＝−１（ｇ）、第２の加速度センサ５１Ａの加速度ｘ＝０（ｇ）、加速度ｙ＝０（ｇ）、加速度ｚ＝１（ｇ）となる。
【００４１】
図３は、本実施例に係る情報処理装置の概略のハードウェア構成例を示す図である。図３に示すように、情報処理装置４０は、タッチパネル表示部４１と、制御部１００と、メモリ１０１と、ストレージ１０２と、第１の加速度センサ５１Ａと、第２の加速度センサ５１Ｂと、通信部１０３と、電源部１０４と、を備えている。
【００４２】
タッチパネル表示部４１は、折り曲げ可能なフレキシブルな構成となっており、表示部４１Ｂと、表示部４１Ｂに重畳されたタッチパネル４１Ａとを有する。タッチパネル４１Ａは、例えば、静電容量式のマルチタッチパネルで構成されており、指やペン等の指示体を用いてタッチパネル４１Ａに対して行われた各種操作を、操作が行われた場所のタッチパネル４１Ａ上での位置とともに検出し、制御部１００に通知する。タッチパネル４１Ａによって検出される操作には、タッチ操作、スライド操作、ピッチ操作、スワイプ操作等が含まれる。表示部４１Ｂは、例えば、液晶ディスプレイ（ＬＣＤ：Liquid  Crystal  Display）や有機ＥＬ（Organic  Electro−Luminescence）パネルなどで構成され、制御部１００の制御に従って文字や図形等を表示する。
【００４３】
通信部１０３は、制御部１００の制御に従って、外部と無線／有線でデータ通信するためのデバイスである。電源部１０４は、制御部１００の制御に従って、蓄電池又はＡＣアダプタから得られる電力を、制御部１００を含む情報処理装置４０の各部へ供給する。カメラ２２は、被写体を撮像して撮像した画像データを制御部１００に出力する。
【００４４】
第１の加速度センサ５１Ａ及び第２の加速度センサ５１Ｂは、Ｘ、Ｙ、Ｚ軸方向の加速度ｘ、ｙ、ｚをそれぞれ検出して、制御部１００に出力する。
【００４５】
メモリ１０１は、例えば、ＲＡＭやＤＲＡＭ等で構成されており、制御部１００によって実行されるプログラム、制御部１００が参照するデータ、制御部１００の演算結果等が一時的に記憶されるワークエリアとして使用される。
【００４６】
ストレージ１０２は、制御部１００によって実行されるプログラムやデータを保持するコンピュータで読み取り可能な記憶媒体であり、例えば、ＥＥＰＲＯＭ、フラッシュメモリ、及びＳＳＤ等の不揮発性メモリである。ストレージ１０２は、例えば、情報処理装置４０全体の制御を行うためのＯＳ、周辺機器類をハードウェア操作するための各種デバイスドライバ、メールアプリ、ブラウザアプリ、文章を作成するための文章作成用アプリ等を記憶する機能を有する。各種デバイスドライバ及びアプリ間のデータの転送には全てＯＳが介在する。
【００４７】
制御部１００は、例えば、ＣＰＵ（Central  Processing  Unit）、マイクロプロセッサ、ＤＳＰ等であり、情報処理装置４０の動作を統括的に制御して各種の機能を実現する。具体的には、制御部１００は、ストレージ１０２に記憶されているデータやメモリ１０１に展開したデータを必要に応じて参照しつつ、ストレージ１０２に記憶されているプログラムに含まれる命令を実行して、入力機能、メール機能、Ｗｅｂブラウジング機能、及び表示機能等の各種機能を実現する。また、制御部１００は、省電力機能を備えており、一定時間入力がない場合やタッチパネル表示部４１が閉じられた場合には、携帯型情報処理装置４０（タッチパネル表示部４１を含む）をスリーブ状態（休止状態）に移行させる。
【００４８】
次に、制御部１００により実行される、第１及び第２の加速度センサ５１Ａ，５１Ｂの
検出結果に基づいて入力部を表示する処理を詳細に説明する。
【００４９】
制御部１００は、第１及び第２の加速度センサ５１Ａ，５１Ｂの検出結果に基づいて、タッチパネル表示部４１（筐体５０）の折り曲げ角度、上述の各種状態（フラット状態、開いた状態、閉じ状態等）、及びタッチパネル表示部４１の表示領域４２の第１の表示領域４２Ａ及び第２の表示領域４２Ｂを検出（判定）可能となっている。
【００５０】
制御部１００は、第１及び第２の加速度センサ５１Ａ，５１Ｂの検出結果に基づいて、
タッチパネル表示部４１の表示領域４２に表示する入力部の表示を制御する。より具体的には、制御部１００は、タッチパネル表示部４１がフラット状態（図２−Ａ参照）の場合には、タッチパネル表示部４１の表示領域４２に表示情報の全画面表示を行うことにしてもよい。
【００５１】
また、制御部１００は、タッチパネル表示部４１が折り曲げ状態（図２−Ｂ参照）の場合には、タッチパネル表示部４１の表示領域４２のうち、下側となる第１の表示領域４２Ａと、上側となる第２の表示領域４２Ｂを判定し、第１の表示領域４１Ａに入力部を表示し、第２の表示領域４２Ｂに表示情報を表示してもよい。例えば、制御部１００は、θ＞０で、２つの加速度センサ５１Ａ，５１Ｂのうち、Ｚ軸方向の加速度ｚが小さい方の加速度センサに対応する表示領域を第１の表示領域４２Ａ、他方の加速度センサに対応する表示領域を第２の表示領域４２Ｂとすることができる。
【００５２】
また、制御部１００は、タッチパネル表示部４１が閉じている状態（図２−Ｃ参照）から開いた状態（図２−Ｂ参照）となった場合には、タッチパネル表示部４１の第１の表示領域４１Ａに入力部を表示し、第２の表示領域４２Ｂにユーザ認証画面（例えば、パスワード入力画面）を表示してもよい。
【００５３】
図４は、タッチパネル表示部４１の画面遷移の一例を説明するための図である。図４の１５４に示すように、タッチパネル表示部４１がフラット状態の場合には、制御部１００は、タッチパネル表示部４１の表示領域４２に表示情報（例えば、アイコン）の全画面表示を行う。タッチパネル表示部４１がフラット状態（１５４）からユーザにより折り曲げられると、図４の１５３に示すように、制御部１００は、第１の表示領域４２Ａに入力部５３（例えば、ソフトウェアキーボード）を表示し、表示領域４２に表示されていた表示情報（例えば、アイコン）を第２の表示領域４２Ｂに表示する。同様に、タッチパネル表示部４１が折り曲げた状態（１５３）からユーザにより広げられてフラット状態（１５３）となると、制御部１００は、タッチパネル表示部４１の表示領域４２に表示情報（例えば、アイコン）の全画面表示を行う。
【００５４】
また、図４の１５１に示すように、ユーザにより、タッチパネル表示部４１が閉じられると、制御部１００は、タッチパネル表示部４１をスリーブ状態（非アクティブ）に移行させる。タッチパネル表示部４１が閉じた状態（１５１）からユーザにより開かれると、制御部１００は、タッチパネル表示部４１をスリーブ状態（非アクティブ）から復帰させ、図４の１５２に示すように、第１の表示領域４２Ａに入力部５３（例えば、ソフトウェアキーボード）を表示し、第２の表示領域４２Ｂにユーザ認証画面（例えば、パス−ワードの入力フィールド５６を備えたパスワード入力画面）を表示する。制御部１００は、ユーザ認証に成功すると、第２の表示領域４２Ｂに表示情報（例えば、アイコン）を表示する。
【００５５】
さらに本実施例では、情報処理装置４０が折り曲げ可能部５４を支点に揺動するように動かされることで、下側の表示領域であった第１の表示領域４２Ａが上側に、上側の表示領域であった第２の表示領域４２Ｂが下側に変化した場合には、この変化を第１及び第２の加速度センサ５１Ａ，５１Ｂで検出し、この変化に応じて、改めて下側の表示領域である第１の表示領域４２Ａと、上側の表示領域である第２の表示領域４２Ｂを判定し、改めて下側の表示領域とされた第１の表示領域４２Ａに入力部を表示し、改めて上側の表示領域とされた第２の表示領域４２Ｂに表示情報や入力結果の表示欄を表示する。この場合、表示領域４２Ａと表示領域４２Ｂの切り替えに応じて、各表示の向きも変更される。すなわち、情報処理装置４０が折り曲げ可能部５４を支点に揺動することで表示領域４２Ａと表示領域４２Ｂが切り替わったことに応じて、各表示も１８０度回転するように切り替わって表示される。つまり、下側とされる第１の表示領域４２Ａが位置する方が表示の下方となるように表示を変更する。
【００５６】
（変形例１）
図５−Ａ及び図５−Ｂは、変形例１に係る情報処理装置を説明するための図である。上記実施例と同等機能を有する部位には同一符号を付し、共通する部分の説明は省略し、異なる点についてのみ説明する。上記実施例では、タッチパネル表示部４１の折り曲げ可能箇所を一箇所としたが、本発明はこれに限られるものではなく、複数箇所（２箇所以上の箇所）で折り曲げ可能な構成としてもよい。変形例１に係る情報処理装置は、２箇所で折り曲げ可能に構成されている。
【００５７】
図５−Ａ及び図５−Ｂに示すように、筐体５０には、第１及び第２の折り曲げ可能部５４Ａ、５４Ｂが形成されている。第１及び第２の折り曲げ可能部５４Ａ、５４Ｂを挟んで、３つの加速度センサ５１Ａ〜５１Ｃが配置されている。この３つの加速度センサ５１Ａ〜５１Ｃの検出結果に基づいて、どの位置で折り曲げられたか、その折り曲げ角度、及び表示領域４２のうちの第１の表示領域４２Ａ及び第２の表示領域４２Ｂを検出することができる。図５−Ｂに示す例では、第１の折り曲げ可能部５４Ａで折り曲げられた場合を示している。
【００５８】
さらに、第２の折り曲げ可能部５４Ｂも折り曲げられた場合には、表示領域４２のうち、一番下側の表示領域を第１の表示領域４２Ａとし、それ以外の表示領域を第２の表示領域４２Ｂとすることができる。３箇所以上を折り曲げ可能に形成する場合も加速度センサを増やすことで第１の表示領域４２Ａ及び第２の表示領域４２Ｂを検出することが可能である。
【００５９】
本変形例によれば、折り曲げられた位置に応じて、表示領域４２のうち、一番下側の面を形成する表示領域に入力部を表示し、それ以外の表示領域に表示情報や入力結果の表示欄を表示するように、制御部１００が表示を制御する。また、本変形例では、折り曲げられた位置に応じて、表示領域４２のうち一番下側となる面の面積は変わる。このため、折り曲げられた位置に応じて、入力部を表示する領域を決定するだけではなく、表示領域４２のうち一番下側の面の面積に応じて、表示領域４２に表示する入力部の大きさ、形、種類、数、配置等の少なくとも１つを制御部１００で変更する等、入力部の表示を選択的に変更するようにしてもよい。例えば、折り曲げられた位置に応じて、ソフトウェアキーボード全体の大きさや、ソフトウェアキーボードのキー配列や、ソフトウェアキーボードとして表示されるキーの種類や数や、ソフトウェアキーボードのキーの大きさ等を変更することができる。
【００６０】
（変形例２）
図６及び図７は、変形例２に係る情報処理装置を説明するための図である。上記実施例と同等機能を有する部位には同一符号を付し、共通する部分の説明は省略し、異なる点についてのみ説明する。上記実施例では、タッチパネル表示部４１自体を折り曲げ可能な構成としたが、本発明は、これに限られるものではなく、２つのタッチパネル表示部を備えたいわゆる２画面タイプの情報処理装置にも適用可能である。変形例２に係る情報処理装置は、２つのタッチパネル表示部を備えた構成となっている。
【００６１】
図６において、変形例２に係る情報処理装置２００は、表示部２１１Ｂ及びタッチパネル２１１Ａで構成される第１のタッチパネル表示部２１１を収納する第１の筐体２１０と、表示部２２１Ｂ及びタッチパネル２２１Ａで構成される第２のタッチパネル表示部２２１を収納する第２の筐体２２０と、第１の筐体２１０と第２の筐体２２０を略３６０度折り曲げ可能（回転可能）に連結するヒンジ２３０と、を備えている。第１の筐体２１０及び第２の筐体２２０の内部には、それぞれ第１の加速度センサ２１２及び第２の加速度センサ２２２が配置されている。
【００６２】
図７（Ａ）に示すように、第１のタッチパネル表示部２１１及び第２のタッチパネル表示部２２１の両画面で、上述の表示領域２０１を形成する。図７（Ａ）に示す例では、表示領域２０１に表示情報（例えば、アイコン）が表示されている。図７（Ｂ）に示すように、第１のタッチパネル表示部２１１及び第２のタッチパネル表示部２２１の表示領域２０１のうち、下側となるタッチパネル表示部の画面を上述の第１の表示領域２０１Ａ，上側となるタッチパネル表示部の画面を上述の第２の表示領域２０１Ｂとする。図７（Ｂ）に示す例では、第１の表示領域２０１Ａに入力部２５０が表示され、第２の表示領域２０１Ｂに表示情報（例えば、アイコン）が表示されている。第１の表示領域２０１Ａに入力部２５０が表示され、第２の表示領域２０１Ｂに入力結果の表示欄として入力フィールド５６のようなものが表示されるようにしてもよい。
【００６３】
以上の実施例では、加速度センサの検出結果に基づいて、下側、すなわちユーザにより近接した側となる第１の表示領域４２Ａと、上側、すなわちユーザからより遠い側となる表示領域４２Ｂを検出（判定）していたが、これに限られない。例えば、加速度センサの代わりに、あるいは加速度センサとともに、ジャイロセンサ、ホールセンサ、照度センサ、近接センサ、赤外線センサ、カメラなどのセンサによって、下側（ユーザにより近接した側）となる第１の表示領域４２Ａと、上側（ユーザからより遠い側）となる表示領域４２Ｂを検出するようにしてもよい。
【符号の説明】
【００６４】
１  情報処理装置
１０  タッチパネル表示手段
１１  表示領域
１１Ａ  第１の表示領域
１２Ａ  第２の表示領域
１２  入力部
２０  検出手段
３０  制御手段
４０  情報処理装置
４１  タッチパネル表示部
４１Ａ  タッチパネル
４１Ｂ  表示部
４２  表示領域
４２Ａ  第１の表示領域
４２Ｂ  第２の表示領域
５０  筐体
５１Ａ  第１の加速度センサ
５１Ｂ  第２の加速度センサ
５１Ｃ  第３の加速度センサ
５３  入力部
５４、５４Ａ，５４Ｂ  折り曲げ可能部
１００  制御部
１０１  メモリ
１０２  ストレージ
１０３  通信部
１０４  電源部
２００  情報処理装置
２０１  表示領域
２０１Ａ  第１の表示領域
２０１Ｂ  第２の表示領域
２１０  第１の筐体
２１１  第１のタッチパネル表示部
２１２  第１の加速度センサ
２２０  第２の筐体
２２１  第２のタッチパネル表示部
２２２  第２の加速度センサ
２３０  ヒンジ
２５０  入力部
【図１】
2017130158.tif 000003
【図２−Ａ】
2017130158.tif 000004
【図２−Ｂ】
2017130158.tif 000005
【図２−Ｃ】
2017130158.tif 000006
【図３】
2017130158.tif 000007
【図４】
2017130158.tif 000008
【図５−Ａ】
2017130158.tif 000009
【図５−Ｂ】
2017130158.tif 000010
【図６】
2017130158.tif 000011
【図７】
2017130158.tif 000012